(57)【要約】【課題】長時間にわたって冷感を付与することのできる首用保冷具を提供する。【解決手段】首用保冷具１は、横長帯状のセンター保冷部と、センター保冷部の左右両端部に形成されたサイド保冷部２０と、を備え、使用者の首に当てられていない他側面部には熱反射層が形成されているため、保冷剤の冷気が外気側へ放出されることがないと共に、首の後ろ側から照らされる太陽光による熱線が保冷剤に直接到達してしまうことがない。【選択図】図１
0003225927.tif 000002
【実用新案登録請求の範囲】
【請求項１】
使用者の首の後面に当てられる一側面部を有するセンター保冷部と、
前記センター保冷部における左右の両端部に配された、当該使用者の首における左右の側面に当てられる一側面部を有する左右一対のサイド保冷部と、
を備え、
前記センター保冷部及び前記サイド保冷部の内部には、収容空間がそれぞれ個別に形成されており、各収容空間に保冷剤が各々収容される首用保冷具であって、
使用者の首に装着された状態で、前記センター保冷部及び前記サイド保冷部における各保冷剤の外側で当該首に当てられていない他側面部のみに、熱反射層が形成されている
ことを特徴とする首用保冷具。
【請求項２】
前記サイド保冷部に収容された保冷剤の縦幅が、前記センター保冷部に収容された保冷剤の縦幅よりも小さい
請求項１に記載の首用保冷具。
【請求項３】
前記サイド保冷部の縦幅が、前記センター保冷部の縦幅よりも小さい
請求項１に記載の首用保冷具。
【請求項４】
前記センター保冷部及び前記サイド保冷部の各収容空間に各々前記保冷剤が収容された状態で、前記サイド保冷部に形成された収容空間の最大厚みが、前記センター保冷部に形成された収容空間の最大厚みよりも大きい
請求項２又は請求項３に記載の首用保冷具。
【請求項５】
各収容空間に保冷剤が各々収容された状態で、前記収容空間に臨む前記センター保冷部及び前記サイド保冷部の各内壁と、前記保冷剤とが少なくとも部分的に離間されてなり、前記各内壁と前記保冷剤との間に少なくとも部分的に空気層が形成されてなる
請求項１乃至請求項４のいずれか１項に記載の首用保冷具。
【考案の詳細な説明】
【技術分野】
【０００１】
本考案は、使用者の首に巻回されて当該使用者の首に保冷剤の冷感を与える首用保冷具に関する。
【背景技術】
【０００２】
従来から、保冷剤を内部に収容して首等に冷感を与える保冷具が種々提案されている（例えば特許文献１、特許文献２）。
【先行技術文献】
【特許文献】
【０００３】
【特許文献１】特許第４７１４９０５号公報
【特許文献２】特許第５５００５１６号公報
【考案の概要】
【考案が解決しようとする課題】
【０００４】
しかしながら、従来の保冷具にあっては、冷気が使用者側のみならず外気側へも放出されたり、保冷剤が太陽光に曝されることによって保冷効果が長続きしなかったりするという問題があった。
【０００５】
本考案は、長時間にわたって冷感を付与することのできる首用保冷具を提供することを目的とする。
【課題を解決するための手段】
【０００６】
本考案は、使用者の首の後面に当てられる一側面部を有するセンター保冷部と、前記センター保冷部における左右の両端部に配された、当該使用者の首における左右の側面に当てられる一側面部を有する左右一対のサイド保冷部と、を備え、前記センター保冷部及び前記サイド保冷部の内部には、収容空間がそれぞれ個別に形成されており、各収容空間に保冷剤が各々収容される首用保冷具であって、使用者の首に装着された状態で、前記センター保冷部及び前記サイド保冷部における各保冷剤の外側で当該首に当てられていない他側面部のみに、熱反射層が形成されていることを特徴とする首用保冷具である。
【０００７】
かかる構成にあっては、使用者の首に当てられていない他側面部に熱反射層が形成されているため、保冷剤の冷気が外気側へ放出されることがないと共に、首の後ろ側から照らされる太陽光による熱線が保冷剤に直接到達してしまうことがない。このため、保冷剤の保冷機能が長期にわたって持続されることとなる。また、保冷剤が収容される収容空間を、センター保冷部とサイド保冷部とで区画することにより、首回り全体において冷感部分の偏りがなくなり、首用保冷具の首への密着感を向上させつつ使用者へ冷感を効率良く与えることが可能となる。なお、前記保冷剤の位置は、各保冷剤の外側であればよく、例えば保冷剤の外面に直接取り付けられていてもよいし、保冷剤の外側であって各保冷部の内壁（すなわち収容空間を構成する内周面）に取り付けられていてもよいし、さらには、条件を満たす他の位置であってもよい。
【０００８】
また、前記サイド保冷部に収容された保冷剤の縦幅が、前記センター保冷部に収容された保冷剤の縦幅よりも小さい構成が提案される。
【０００９】
さらに、前記サイド保冷部の縦幅が、前記センター保冷部の縦幅よりも小さい構成が提案される。
【００１０】
上記のような構成とすることにより、使用者が首を左右に振ったときや使用者が下を向いたときに、前記サイド保冷部や当該サイド保冷部内の保冷剤が使用者のフェイスラインに干渉してしまうことを防止することができる。一方、センター保冷部の縦幅がサイド保冷部に対して相対的に長くなることで、首の後面との接触面積が十分に確保でき、当該後面に効果的に冷感を与えることが可能となる。
【００１１】
また前記センター保冷部及び前記サイド保冷部の各収容空間に各々前記保冷剤が収容された状態で、前記サイド保冷部に形成された収容空間の最大厚みが、前記センター保冷部に形成された収容空間の最大厚みよりも大きい構成が提案される。
【００１２】
かかる構成とすることにより、前記センター保冷部に収容される保冷剤の容量と、相対的に縦幅が短いサイド保冷部に収容される保冷剤の容量とを例えば同量とすることができる。このため、サイド保冷部のみが先に溶解してしまうことを阻止して、全体として保冷時間を均一化することができる。
【００１３】
また、各収容空間に保冷剤が各々収容された状態で、前記収容空間に臨む前記センター保冷部及び前記サイド保冷部の各内壁と、前記保冷剤とが少なくとも部分的に離間されてなり、前記各内壁と前記保冷剤との間に少なくとも部分的に空気層が形成されてなる構成が提案される。
【００１４】
かかる構成にあっては、保冷剤の周囲に配された空気層により、首用保冷具の外表面における結露の発生を抑制することができる。なお、各内壁と保冷剤とを部分的に離間させる具体的手段としては、各収容空間の寸法に対して、収容する保冷剤の外寸を所要程度だけ小さくすることが例示される。
【考案の効果】
【００１５】
本考案にかかる首用保冷具は、保冷剤の保冷機能が長期にわたって維持される効果がある。
【図面の簡単な説明】
【００１６】
【図１】首用保冷具を使用者の首に装着した状態を示す説明図である。
【図２】首用保冷具の平面図である。
【図３】（ａ）は図２のＡ−Ａ線断面図であり、（ｂ）は図２のＢ−Ｂ線断面図である。
【図４】首用保冷具を使用者の首に装着した状態を示す縦断面図である。
【図５】他の実施例にかかる首用保冷具の縦断面図である。
【図６】さらに他の実施例にかかる首用保冷具の縦断面図である。
【考案を実施するための形態】
【００１７】
以下に本考案を具体化した実施例を詳細に説明する。なお、本考案は、下記に示す実施例に限定されることはなく、適宜、設計変更が可能である。
【００１８】
首用保冷具１は、図１に示すように、使用者の首に巻回して使用されるものであり、当該首に冷感を与える機能を備えている。
【００１９】
さらに詳述すると、首用保冷具１は、図２に示すように、中央に配された横長帯状のセンター保冷部１０と、センター保冷部１０の左右の両側に配された横長帯状のサイド保冷部２０，２０とを備えている。
【００２０】
ここで、センター保冷部１０は、使用者の首の後面に当てられる一側面部１１を有している。また、両サイド保冷部２０，２０は、使用者の首の左右側部に当てられる一側面部２１を同じ側に各々有している。
【００２１】
また、サイド保冷部２０，２０の両端部には、面ファスナー（図示省略）が形成された紐状の締結部３０，３０が取り付けられており、締結部３０，３０同士を貼り合わせることで首用保冷具１を使用者の首回りに装着することができるようになっている。なお、締結部３０の構造は、他の構造であっても勿論よい。
【００２２】
また、センター保冷部１０の内部には、図３に示すように、収容空間Ｓ１が形成されており、収容空間Ｓ１内には例えば市販の保冷剤Ｃ１が収容可能となっている。同様に、サイド保冷部２０も、図３に示すように、収容空間Ｓ２が形成されており、収容空間Ｓ２内には保冷剤Ｃ２が収容可能となっている。
【００２３】
ここで、センター保冷部１０及びサイド保冷部２０の一側面部１１，２１は、図１，図４に示すように、使用者の首に当てられる部位となる。これに対し、センター保冷部１０及びサイド保冷部２０における収容空間Ｓ１，Ｓ２よりも外側で使用者の首に当てられていない部位が、本考案における他側面部１２，２２となる。
【００２４】
そして、図３に示すように、他側面部１２，２２には、金属製の薄膜（例えばアルミシート）が貼着されてなる熱反射層１５，２５が各々形成されている。この熱反射層１５，２５は、外部から収容空間Ｓ１，Ｓ２へ熱や光が進入することを防止すると共に、収容空間Ｓ１，Ｓ２から他側面部１２，２２を介して外部へ冷気が放出されてしまうことを防止する機能を有している。
【００２５】
かかる構成を有する首用保冷具１は、図１，図４に示すように、使用者の首に巻回されることで当該首に保冷剤Ｃ１，Ｃ２の冷感を与えることができる。このとき、上述のように、外部から照射される太陽光は、熱反射層１５，２５で反射し、かつ、保冷剤Ｃ１，Ｃ２の冷気もまた、熱反射層１５，２５によって他側面部１２，２２から外部へ放出されることが防止されるため、より一層保冷剤Ｃ１，Ｃ２の保冷機能が長期にわたって持続することとなる。
【００２６】
なお、図２に示すように、首用保冷具１におけるセンター保冷部１０の縦幅Ｈ１は、サイド保冷部２０の縦幅Ｈ２よりも大きい形状となっている。ここで、センター保冷部１０は使用者の首の後面に当てられるところ、このような外観形状とすることで首の後面との接触面積が十分に確保することが可能となる。したがって、冷感を十分に付与することができると共に、使用者の首の後面を大きく被覆して日の当たる面積を縮小させる利点もある。
【００２７】
また、換言すれば、サイド保冷部２０の縦幅Ｈ２は、センター保冷部１０の縦幅Ｈ１よりも小さいため、例えば使用者が首を左右に動かしたり下を向いたりした際に使用者のフェイスラインがサイド保冷部２０に干渉してしまう煩わしさを防止することができる。このため、例えばゴルフ等の運動をする際にも使用感が損なわれない優れた効果がある。なお、このような使用感を確保するために、収容空間Ｓ２に収容された保冷剤Ｃ２の縦幅が収容空間Ｓ１に収容された保冷剤Ｃ１の縦幅よりも小さい外観形状としても勿論よい。
【００２８】
また、図３に示すように首用保冷具１は、保冷剤Ｃ１，Ｃ２が収容された状態で、サイド保冷部２０における収容空間Ｓ２の最大厚みＷ２が、センター保冷部１０における収容空間Ｓ１の最大厚みＷ１よりも大きくなって分厚くなるような寸法形状となっている。これにより、収容空間Ｓ１，Ｓ２に充てんできる保冷剤Ｃ１，Ｃ２の容量を略同じとすることが可能となり、センター保冷部１０とサイド保冷部２０との間で保冷時間を均一化することができる。
【００２９】
上記した実施例において、各部の寸法形状は適宜自由に選択可能である。
また、首用保冷具１は、例えばセンター保冷部１０及びサイド保冷部２０を被覆して過冷を防ぐカバー部材を備えていてもよい。また、当該カバー部材に、上述した熱反射層１５，２５が形成されていてもよい。また、消臭機能などの快適性を向上させる機能をカバー部材に付加してもよい。
また、各収容空間Ｓ１，Ｓ２には２個以上の保冷剤が収容されていても構わない。
また、熱反射層１５，２５は、センター保冷部１０やサイド保冷部２０の最外層に形成されているものに限定されず、例えば収容空間Ｓ１，Ｓ２に面する部位に配置されていても構わない。
さらに、例えば図５に示すように、センター保冷部１０やサイド保冷部２０の他側面部１２，２２ではなく、保冷剤Ｃ１，Ｃ２の他側面部側に熱反射層３５が設けられていてもよい。
【００３０】
また、例えば図６に示すように、結露の発生を効果的に抑制する構成が提案される。すなわち、各保冷剤Ｃ１，Ｃ２が各収容空間Ｓ１，Ｓ２に各々収容された状態で、センター保冷部１０及びサイド保冷部２０の各内壁と、保冷剤Ｃ１，Ｃ２とが少なくとも部分的に離間させて空間を設ける構成が提案される。これにより、各内壁と保冷剤Ｃ１，Ｃ２との間に少なくとも部分的に空気層Ｚが形成されてなる。かかる構成とすることにより、空気層Ｚがいわば断熱層として機能し、首用保冷具１の外表面における結露の発生を抑制することができる。
【符号の説明】
【００３１】
１              首用保冷具
１０            センター保冷部
１１，２１      一側面部
１２，２２      他側面部
１５，２５      熱反射層
２０            サイド保冷部
Ｃ１，Ｃ２      保冷剤
Ｈ１，Ｈ２      縦幅
Ｓ１，Ｓ２      収容空間
Ｗ１，Ｗ２      最大厚み
Ｚ              空気層
【図１】
0003225927.tif 000003
【図２】
0003225927.tif 000004
【図３】
0003225927.tif 000005
【図４】
0003225927.tif 000006
【図５】
0003225927.tif 000007
【図６】
0003225927.tif 000008